(57)【要約】【課題】    折板屋根の緑化で、夏季や冬季の外気温を屋根から直接室内等に伝えないようにし、エアコンなどの電気消費を軽減する、再生プラスチックを使用し簡単施工で軽量化、低コストで地球環境に優しい折板屋根の軽量緑化システムでにする。【解決手段】    折板屋根の谷部にスペイサーを設置し、その上に植栽層を設け植栽し、谷部にできた空間空気層で、夏は涼しく冬は暖かく、エアコンの消費を軽減し、小口に袋に入れた植栽層で、施工や模様替え撤去なども容易にでき、部材は再生プラスチックを使用し、撤去した後も再び再生し原料とする、環境に優しい折板屋根の軽量緑化システム。【選択図】  図1
2009046898.tif 000002
【特許請求の範囲】
【請求項１】
折板屋根の谷部にスペイサー部材を設け、そのスペイサー部材の上に植栽層を設けた折板屋根の軽量緑化システム。
【請求項２】
前記植栽層として、プラスチックフィルム状を粉砕した小片あるいは、発砲系樹脂小片を袋に詰めた事を特徴とする、請求項1記載の折板屋根の軽量緑化システム。
【請求項３】
前記袋の植栽層として、袋の綴じ部分を、筒状にした事を特徴とする、請求項2記載の折板屋根の軽量緑化システム。
【請求項４】
前記袋の植栽層固定手段として、袋の綴じ部分の筒に、紐あるいはロープ又は線を通し、折板屋根の折板固定ボルトに結び固定あるいは、予め紐あるいは金具や線を、折板屋根の折板固定ボルトに結び取り付け、筒に通した紐あるいはロープ又は線と結び固定又は、折板屋根の折板固定ボルトに棒又は、パイプを結び、筒に通した紐あるいはロープ又は線と結び固定する事を特徴とする請求項2請求項3に記載の折板屋根の軽量緑化システム。
【請求項５】
前記植栽層固定手段として、スペイサーの上に植栽層を設け、植栽層の上に、網あるいはロープまたは、線や紐を掛け、折板屋根の折板固定ボルトに結び固定又は、さらに網あるいはロープまたは、線や紐を掛けたその上に棒やパイプを置き、予め折板屋根の折板固定ボルトに、結び置いた結束材料に結び固定又は、予め折板屋根の折板固定ボルトに結び置いた棒又は、パイプに結束し固定する、請求項1〜4のいずれか1項記載の折板屋根の軽量緑化システム。
【請求項６】
前記袋の植栽層に植栽する方法として、袋状の植栽層の一部を切り、開き、植物を植え込む事を特徴とする請求項1〜5のいずれか1項記載の折板屋根の軽量緑化システム。
【請求項７】
前記折板屋根の谷間に設置するスペイサーとして、網目状のパイプを使用する事を特長とする、折板屋根の軽量緑化システム。
【発明の詳細な説明】
【技術分野】
【０００１】
本発明は、四季を通し折板屋根の外気温の影響を軽減しエアコンなどの消費電力を少なくし、ヒートアイランド現象を軽減する為の、折板屋根軽量緑化システムに関する。
【背景技術】
【０００２】
近年では、都市温暖化ヒートアイランド現象の対策として、ビル等の壁面や屋上を緑化する動きが始まり、つる性植物等を使用した壁面緑化タイプや、薄い植栽層で芝などグランドカバー類の植物を植える屋上緑化タイプ、大きめな樹木等を植栽する屋上緑化庭園タイプ等があり、どれも保水性や軽量化に特長を持ち、夏季節の太陽熱遮温性と冬季節の保温性を高め光熱費を抑え又、植物を植える事で、二酸化炭素を酸素に変えるなどヒートアイランド現象を軽減し、地球温暖化対策を促進し、まだ数は少ないが折板屋根緑化も考案されている、特開2004-135650号広報では、折板屋根の山形上部に金属性網状部材エキスパンダメタルを敷き根太フレームで留め、その上に植栽層を設けている工法が記載されているが、金属性網状部材エキスパンダメタルを根太フレームに留める工法は、折板屋根に留め具を取り付ける為、折板屋根に傷が付き腐蝕の原因にもなり又、強度求める為の金属性網状部材エキスパンドメタルなどはとても重く、折板屋根緑化で最も重要な課題の軽量化にそぐわない為、特開2004-135650号は折板屋根緑化には適して無く、コストも高額で無駄が多いなどの問題がある。
【特許文献１】特開2004-135650号広報
【発明の開示】
【発明が解決しようとする課題】
【０００３】
折板屋根の暑さ寒さ対策をし、エアコンなどの電気消費を抑えると共に、植物を植え、二酸化炭素を酸素に変え地球の温暖化防止に役立てる事や、軽量緑化で建物に対する影響を軽減し、模様替も容易にできる簡単施工で、再生プラスチック部材を使用しコストも安く、撤去した際も再度の再生資源として使用し、雨水をタンクに溜め巡回式散水システムにした、地球資源を守る、折板屋根の軽量緑化システムにする。
【課題を解決するための手段】
【０００４】
請求項1の折板屋根の軽量緑化システムは、折板屋根の谷部にスペイサーを設置し、その上に植栽層を設け、植栽層の上に網やロープ又は、線や紐等で押え固定した、折板屋根の軽量緑化システムである。    
【発明の効果】
【０００５】
折板屋根の谷部に置くスペイサーの効果は、上部に植栽層を設置できる土台の役目と、折板屋根の谷部に空間を確保する事で、折板屋根を太陽の紫外線から守り材質の保護や腐食を抑え、谷部の空間で直接外気温が伝わらなくし、夏時期は日陰の涼しい空気層効果と、冬時期は着物を着た暖かい効果が有り、エアコンの電気消費も少なく経済的で、ヒートアイランド現象対策にも効果が有る、折板屋根の軽量緑化システムである。
【０００６】
植栽層を設け植栽する事で、外気温の直接の影響を軽減すると共に、二酸化炭素の処理や酸素が増え空気の浄化ができ、ヒートアイランド現象対策や良い環境を促進させる効果が有る、折板屋根の軽量緑化システムである。
【０００７】
前記の植栽で、特に工場などの限られた敷地の中で緑地面積の確保を必要としている対策として、建物の屋根を利用する事で、限られた敷地面積の有効利用ができる効果がある、折板屋根の軽量緑化システムである。
【０００８】
前記の植栽をする事で、人間に欠かせない緑の癒し効果などが有る、折板屋根の軽量緑化システムである。
【０００９】
前記折板屋根の谷部に設置するスペイサーはプラスチック製、植栽層もフィルム状プラスチックの小片軽量で建物の影響を軽減した、折板屋根の軽量緑化システムである。
【００１０】
前記植栽層を袋に入れる事で、個々に袋に納まっているので、複雑な折板屋根形状でも端や隅まで施工が容易にでき、撤去する際や模様替えする際も、袋に入なので周囲に植栽層を散らかす事無く作業が容易にできる、折板屋根の軽量緑化システムである。
【００１１】
前記袋入り植栽層で、一定の数量を袋に詰める事で、施工面積の使用数量が素早く分かり、余す事無く、足りない事無く、無駄なく速やかに準備ができ施工できる、折板屋根の軽量緑化システムである。
【００１２】
前記袋入り植栽層で、植物の根が建物に伸びて雨漏りや腐食の障害を起こさせない効果や、配線配管などに、根が伸びて行く事を防ぐ効果賀ある、折板屋根の軽量緑化システムである。
【００１３】
前記袋入り植栽層で、屋根は、風当たりが大きい所で、たとえば台風などに脅かされても、個々に袋入で確り固定できるので、植栽層が飛ばされる、危険性がとても少ない効果がある、折板屋根の軽量緑化システムである。
【００１４】
前記スペイサーや植栽層部材は、再生プラスチックを使用する事でコストも安く、資源を有効利用でき、地球環境に優しい、折板屋根の軽量緑化システムである。
【００１５】
前記雨水利用として、雨水をタンクに溜め巡回式に散水する事で、水資源を無駄なく利用し、経済的効果と、地球環境に役立つ、折板屋根の軽量緑化システムである。  
【００１６】
前記袋状の植栽層は、プラスチックの再利用で、レジ袋や包装シート又は、パック等の図6で示す、フィルム状樹脂を約1ｍｍ〜10ｍｍ程度に粉砕し、小片となした樹脂と樹脂の隙間に保水をするが、必要以上の保水をしないので、余分な保水重量が建物に掛からないので影響が少なく、適度な保水性と適度な水捌けも良い、折板屋根の軽量緑化システムである。
【００１７】
前記のスペイサーや植栽層は、プラスチック製で、腐食が無く、長持ちをする、折板屋根の軽量緑化システムである。
【００１８】
前記の植栽層は、粉砕し水で洗い熱風処理乾燥をした物で雑菌が少なく植物に与える害の影響が少なく、植物の育成を助ける効果が有る、折板屋根の軽量緑化システムである。
【００１９】
前記スペイサーや袋状の植栽層部材は、個々に小口軽量部材なので運搬の積み下ろしや施工現場の運び込みが容易にでき、荷上に大型のクレーン等を使用するなどの大掛な予算が掛からない、折板屋根の軽量緑化システムである。
【発明を実施するための最良の形態】
【００２０】
本発明の実施の形態について説明をすると、折板屋根の谷部にスペイサーを設け、スペイサーの上に植栽層を設け、植栽層の上に網や紐、ロープまたは、線を掛け、さらに上から棒又はパイプを置き、予め折板屋根の折板留めボルトに結んで置いた結束部材で結び固定する又は、植栽層の上に網や紐、ロープ又は、線を掛け、予め折板屋根の折板留めボルトに結んで置いた棒又はパイプと結束し固定、植栽層の上に網や紐、ロープ又は、線を掛け、折板屋根の折板留めボルトに直接結び固定、植栽層を固定し植栽層の被いにナイフや鋏で切り目を入れ植物を植え、フォッチキスや糸などで切り目の隙間を塞ぐ、植物の栄養素は、液体肥料や固形肥料を与える、折板屋根の軽量緑化システムである。
【００２１】
図1から、折板屋根1の谷部にスペイサー2を設置し、折板留めボルト4に結束部材5を予め結び結び代を残す、スペイサー2を設置したその上に袋状の植栽層3を敷設し、ナイフ等で切れ目9を開け、植物10を植え、フォッチキスや糸などで切り目の隙間を塞ぎ綴じる9。
【００２２】
図2図3から、袋状の植栽層3の上に網6又は、押さえ線7やロープ20等を張り、棒8又は、パイプ18をさらに上に置き、予め結んでおいた結束部材5や金具19で結び固定し又、袋状の植栽層3の上に網6又は、押さえ線7やロープ20等を張り、折板留めボルト4に予め結んで置いた棒8又は、パイプ18に結び固定する又は、袋状の植栽層3の上に網6又は、押さえ線7やロープ20等を張りそれを折板留めボルト4に直接結び固定する、スペイサー2は、ランダム網目パイプ11、メッシュパイプ12、穴開きパイプ13、パイプ14、支柱15の5タイプを使用した。
【００２３】
図4から、袋の植栽層端又は、綴じ部分を筒状にした筒袋植栽層17の筒に、押さえ線7やロープ20等を通し、折板留めボルト4に予め結んで置いた棒8やパイプ18に結び固定する又、直接折板留めボルト4に結ぶ。
【００２４】
図1図2図3図4から、袋状の植栽層3に切れ目9を開けた後、植物10を植
え込み、綴じる16、綴じ方法はホチキスや糸などで縫い合わせる。
【００２５】
前記のスペイサーは、折板屋根の谷部に空間を設け、上部に袋状の植栽層3を敷設する為の土台の役目であり、スペイさーが無いと、植栽層が折板屋根の谷部に撓み谷部を塞いでしまい、排水が悪くなり、折半屋根の耐久性が減少し腐食の可能性が出る又、谷間の空気層が無くなるので、外気温が伝わり易くなり、本発明が求めている夏時期は日陰の涼しい空気層効果と、冬時期は着物を着た暖かい効果が半減する、したがって、スペイサーは欠かせない部材である。
【００２６】
ランダム網目パイプ11は、ランダムな網目でパイプ状に形成され、再生プラスチックをペルット状にし、押し出し成型機械で熱を加えノズルから紐状に細長く出し、ランダムにくねらせながら水槽で冷やし、網目模様パイプ状に直径100ｍｍに仕上げ、軽量でコストも安く、スペイサーの役目と排水の役目、60ｋ耐えた強度で少しへ込んでもすぐに回復した、折板屋根1谷部の空間の確保にも十分対応した。
【００２７】
メッシュ状パイプ12は、プラスチックメッシュパイプ形状に作られている市販の物直径100ｍｍを使用した結果、軽量だが、強度が少なく20ｋの重りで潰れてしまい、回復は時間が掛かり、完全には回復をしなかった、よってスペイサーの役目を果たさない結果が判明した。
【００２８】
穴開きパイプ13は、肉厚の薄いＶＵ直径100ｍｍエンビパイプに10ｍｍの穴を1ｍで150箇所開けた形状に作り使用し、メッシュタイプよりやや重いが、強度は70ｋで半分変形したがすぐに元に戻った、スペイサーの役目と排水の役目、又、折板屋根1谷部の空間の確保にも十分に対応した。
【００２９】
パイプ14は、肉厚の薄いＶＵ直径100ｍｍエンビパイプその物を加工しないで使用し、強度は75ｋで半分変形したがすぐに元に戻った、スペイサーの役目と排水の役目や谷部の空間確保の効果は有ったが、重いので適当で無い結果が判明した。
【００３０】
支柱15は、プラスチックの支柱で、上部に梁を付け支柱を固定している構造に作り使用した、強度は、柱1.5センチ角部分で65ｋでも変形しなかったが、横ゆれで一気に梁が壊れ潰れ回復は無かった、スペイサーの役目と排水の役目や谷部の空間確保の効果はある程度有ったが、手作りの為コストが高く、プラスチック製型の型を使用し大量生産しなければコストは安くならない結果である。
【００３１】
図5で示す、スペイサーの強度有る順番は、1位パイプ14、2位穴開きパイプ13、3位ランダム網目パイプ11、4位支柱15、5位メッシュパイプ12である。
【００３２】
図６で示す、軽い順番は、1位ランダム網目パイプ11、2位メッシュパイプ12、3位支柱15、4位穴開きパイプ13、5位パイプ14、である。
【００３３】
図７で示す、1ｍ当たりのコスト安の順番は、1位ランダム網目パイプ11は180円、2位パイプ14は750円、3位穴開きパイプ13は1,165円、4位メッシュパイプ12は1,850円、5位支柱15は2,500円であり。ランダム網目パイプ11が、コストも大幅に安く強度も強い、折板屋根1谷部の空間の確保にも十分対応ができ、再生プラスチックを原料として使用しているので、地球環境対策に貢献でき、総合的にスペイサーに適当なのはランダム網目パイプ11である。
【００３４】
前記袋状の植栽層3は、薄めのプラスチックいわゆる、レジ袋や包装シート又は、パック等のフィルム状樹脂を約1ｍｍ〜10ｍｍ程度に粉砕した物で、小片樹脂と小片樹脂の隙間に保水性が有り、水捌けも良く軽量でコストも安い、この粉砕した小片樹脂を、丈夫で軽く水を通す通気性のある不触布の袋に詰めた袋状の植栽層3で、再生フィルム樹脂を使用する事で、限りある地球資源を無駄なく使用し、撤去等した際、再利用が可能な部材で、経済的で地球環境を守る植栽層である。
【００３５】
図８で示す、前記の植栽層1リューベイ当たりの単価は、一般に市販されているプラスチックの発砲樹脂製土壌は物にもよりますが安い物で41,800円、プラスチックのフィルム状樹脂は2,650円で、フィルム状樹脂の方が経済的である。
【００３６】
図1図2図3から前記袋状の植栽層3を敷設し、その上に網6または、押さえ線7ロープ20等を掛け、折板屋根の折板留めボルト4に予め長めに残した結束線5に結び固定する又、折板屋根の折板留めボルト4に予め棒8やパイプ18を固定し、そこに縛り固定する、図4で示す筒袋植栽層17に、押さえ線7ロープ20等を筒の中に通し、折板屋根の折板留めボルト4に予め棒8やパイプ18を結びそこに縛り固定する。
【図面の簡単な説明】
【００３７】
【図１】折板屋根と本発明構造の斜示図
【図２】折板屋根と本発明構造の斜示図
【図３】折板屋根と本発明構造の斜示図
【図４】折板屋根と本発明構造の斜示図
【図５】スペイサー強度のグラフ図
【図６】スペイサー重量のグラフ図
【図７】スペイサー単価のグラフ図
【図８】植栽層単価グラフ図
【符号の説明】
【００３８】
1  折板屋根
2  スペイサー
3  袋状の植栽層
4  折板留めボルト
5  結束部材
6  網
7  押さえ線
8  棒
9  切れ目
10  植物
11  ランダム網目パイプ
12  メッシュパイプ
13  穴開きパイプ
14  パイプ
15  支柱
16  綴じる
17  筒袋植栽層
18  パイプ
19  金具
20  ロープ
【図１】
2009046898.tif 000003
【図２】
2009046898.tif 000004
【図３】
2009046898.tif 000005
【図４】
2009046898.tif 000006
【図５】
2009046898.tif 000007
【図６】
2009046898.tif 000008
【図７】
2009046898.tif 000009
【図８】
2009046898.tif 000010